(57)【要約】      （修正有）【課題】エスカレーターに用いることができる消毒殺菌装置及び方法を提供する。【解決手段】光ビーム殺菌装置１０は、筐体１１と、従動システム１２と、発電ユニット１３と、光源１４とを含む。筐体１１はハンドレール２１を覆う。従動システム１２は筐体１１内に位置して設けられ、ハンドレール２１に接触している。発電ユニット１３は従動システム１２に接続され、従動システム１２の回転により電力を発生させる。光源１４は筐体１１内に設けられ、発電ユニット１３からの電力を受けた後、光ビームを照射する。エスカレーター２０が動作する際に従動システム１２がハンドレール２１の摺動によって好適に駆動され、発電ユニット１３が従動システム１２の移動により電力を供給した後、光源１４により光ビームをエスカレーター２０のハンドレール２１に照射する。【選択図】図３
2014193771.tif 000002
【特許請求の範囲】
【請求項１】
エスカレーターのハンドレールに設けられる光ビーム殺菌装置であって、
前記ハンドレールを覆うための筐体と、
前記筐体内に位置して設けられ、前記ハンドレールに接触する従動システムと、
前記従動システムに電気的に接続され、前記従動システムの回転により電力を発生させる発電ユニットと、
前記筐体内に設けられ、前記発電ユニットからの前記電力を受けた後、光ビームを提供する光源と、を含み、
前記エスカレーターが動作する際に、前記従動システムが前記ハンドレールの摺動によって好適に駆動され、前記発電ユニットが前記従動システムの回転により前記電力を供給した後、前記光源により前記光ビーム前記エスカレーターの前記ハンドレールに照射する、光ビーム殺菌装置。
【請求項２】
前記電力を蓄えるための蓄電ユニットをさらに含む、請求項１に記載の光ビーム殺菌装置。
【請求項３】
前記従動システムは、ローラーシステムである、請求項１に記載の光ビーム殺菌装置。
【請求項４】
前記筐体は、断面U字形の外観を有する、請求項１に記載の光ビーム殺菌装置。
【請求項５】
前記光ビームは、紫外線ビームである、請求項１に記載の光ビーム殺菌装置。
【請求項６】
前記光源は、ランプ管または発光ダイオードである、請求項１に記載の光ビーム殺菌装置。
【請求項７】
エスカレーターのハンドレールに用いられる光ビーム殺菌方法であって、
（ａ）前記ハンドレールを覆うための筐体を提供する工程と、
（ｂ）前記筐体内に、前記ハンドレールに接触する従動システムを提供する工程と、
（ｃ）前記従動システムに接続され、前記従動システムの移動により電力を発生できる発電ユニットを提供する工程と、
（ｄ）前記筐体内に設けられ、前記発電ユニットからの前記電力を受けた後、前記ハンドレールに光ビームを照射する光源を提供する工程と、を含む光ビーム殺菌方法。
【請求項８】
（ｅ）前記電力を蓄えるための蓄電ユニットを提供する工程をさらに含む、請求項７に記載の光ビーム殺菌方法。
【請求項９】
前記従動システムは、ローラーシステムである、請求項７に記載の光ビーム殺菌方法。
【請求項１０】
前記筐体は、断面U字形の外観を有する、請求項７に記載の光ビーム殺菌方法。
【請求項１１】
前記光ビームは、紫外線ビームである、請求項７に記載の光ビーム殺菌方法。
【請求項１２】
前記光源は、ランプ管または発光ダイオードである、請求項７に記載の光ビーム殺菌方法。
【発明の詳細な説明】
【技術分野】
【０００１】
本発明は光ビーム殺菌装置及びその方法に関し、特にエスカレーターに用いられる光ビーム殺菌装置及びその方法に関する。
【背景技術】
【０００２】
近年、生活レベルの向上によって、公衆衛生の課題が広く注目されるようになり、特に、例えばＳＡＲＳ（Ｓｅｖｅｒｅ Ａｃｕｔｅ Ｒｅｓｐｉｒａｔｏｒｙ Ｓｙｎｄｒｏｍｅ；重症急性呼吸器症候群）、エンテロウイルス、Ｈ１Ｎ１やノロウイルスなどの強い感染性を持つ病気による惨害を経過した後、環境衛生と健康な生活との関連は、ますます重要視されている。
【０００３】
日常生活での人同士の間の頻繁な交わりにおいて、手足での直接接触でも、共用物品による間接接触でも、いずれも知らないうちに前記病気の伝染速度を速くする可能性があり、また、共用物品による間接接触においては、公共の場で設置されたエスカレーターへの接触頻度がもっとも多くなる。
【０００４】
捷運駅または百貨店などの公共の場で設置されたエスカレーターは、毎日運送する人が多いので、一旦前記病気にかかっている人により触られると、病菌の生息する温床に非常になりやすく、間接的かつ速やかに他の人に伝染してしまう。
【０００５】
一方、これらのエスカレーターのメンテナンス機関が規定に従って、エスカレーターに対して手入れや消毒の作業を定期的に行うものの、一般的に最も多く使われている消毒殺菌のやり方としては、アルコールにイソプロパノールを、あるいはアルコールに水を加えて、人力で拭くというやり方で行っているので、ハンドレールの表面を濡れ、利用者の手触り感が悪くなるという欠点がある。さらに、アルコールで消毒をする場合には、アルコールが揮発と同時に肌の水分を奪い去ることもあり、手のひらの皮膚がひびわれることを招き、逆により大きな不便をもたらすことになる。
【０００６】
このようなことに鑑み、如何にエスカレーターに用いることができる消毒殺菌装置及び方法を提供するかは、業界にとって努力を迫っている目標となっている。
【発明の概要】
【０００７】
本発明の１つの目的は、エスカレーターのハンドレールに設けられ、エスカレーターの運転につれて、このハンドレールに対して消毒殺菌の作業を行うことができる、光ビーム殺菌装置を提供することにある。
【０００８】
本発明の別の目的は、エスカレーターの運転時の運動エネルギーを電気エネルギーに変換することによって、光源を点灯させ、この光源によりエスカレーターの有するハンドレールに光ビームを提供して、消毒殺菌の作業を行うことができる、光ビーム殺菌方法を提供することにある。
【０００９】
上述した目的を達成するために、本発明は、エスカレーターのハンドレールに設けられ、筐体と、従動システムと、発電ユニットと、光源とを含む光ビーム殺菌装置を開示する。中では、筐体はハンドレールを覆うためのものである、従動システムは筐体内に位置して設けられ、ハンドレールに接触する、発電ユニットは光源を筐体内に設けた後、ハンドレールに光ビームを提供して消毒殺菌の作業を行うことができるように、従動システムに接続された。
【００１０】
上述した目的を達成するために、本発明は、エスカレーターのハンドレールに用いられる光ビーム殺菌方法であって、（ａ）ハンドレールを覆うための筐体を提供する工程と、（ｂ）筐体内に、ハンドレールに接触する従動システムを提供する工程と、（ｃ）従動システムに接続され、従動システムの移動により電力を発生できる発電ユニットを提供する工程と、（ｄ）筐体内に設けられ、発電ユニットからの電力を受けた後、ハンドレールに光ビームを提供して消毒殺菌の作業を行う光源を提供する工程とを含む、光ビーム殺菌方法をも開示する。
【図面の簡単な説明】
【００１１】
【図１】本発明に係る光ビーム殺菌装置がエスカレーターに取り付けられた模式図である。
【図２】本発明に係る光ビーム殺菌装置の第１の実施例の構造断面図である。
【図３】本発明に係る光ビーム殺菌装置の第２の実施例の構造断面図である。
【図４】本発明に係る光ビーム殺菌方法のフローチャートである。
【発明を実施するための形態】
【００１２】
以下に、実施例によって本発明の内容を解釈するが、実施例の中の説明に関しては、ただ本発明の技術内容及びその目的とする効果を説明するためのものにすぎず、直接本発明を制限するためのものではない。説明すべきなのは、以下の実施例及び図面において、本発明と直接関連しない素子は示さずに省略され、かつ、図面におけるそれぞれの素子の数、寸法や相対的な位置関係は、理解をしやすくするために模式的に示されたものだけであり、実施用の素子の数、比例や寸法のサイズを制限するためのものではないことである。
【００１３】
図１は、本発明の光ビーム殺菌装置１０の取付模式図である。図１に示すように、光ビーム殺菌装置１０は、エスカレーター２０のハンドレール２１上に設けられており、好ましくは、エスカレーター２０のハンドレール２１に対する消毒殺菌の作業を十分に行うことができるようにハンドレール２１を覆っていることである。
【００１４】
なお、図１に示すように、光ビーム殺菌装置１０は、取り付けられた後エスカレーター２０の利用者に与えうる影響を減少させるために、ハンドレール２１のエスカレーター２０からの送り出し箇所又は送り込み箇所に取り付けられていることが好もしいが、これに限定されない。
【００１５】
本発明に係る光ビーム殺菌装置１０の第１の実施例は、図２に示すとおりである。光ビーム殺菌装置１０は、筐体１１と、従動システム１２と、発電ユニット１３と、光源１４とを含む。同図に示すように、筐体１１は、エスカレーター２０のハンドレール２１を覆うことに好適に用いられ、構造的にはハンドレール２１のベース２２に接して固定可能な設計となっている。従動システム１２は、筐体１１内に位置して設けられており、ハンドレール２１に接触するように、ローラーシステムからなるものであることが好ましい。発電ユニット１３は、従動システム１２に電気的に接続されており、従動システム１２の回転により動力を発生できる。光源１４は、筐体１１内に設けられており、発電ユニット１３からの電力を受けた後、光ビームハンドレール２１に照射する。
【００１６】
詳しく言えば、本実施例においては、筐体１１は、エスカレーター２０のベース２２をしっかりと挟み、ハンドレール２１を全体的に覆うように、断面U字形の外観を有することが好ましいが、これに限定されない。また、筐体１１とハンドレール２１との間のすべり現象を避けるように、筐体１１とベース２２の接する箇所に、ゴム材料を追加して固定に寄与してもよい。筐体１１の内側に位置して設けられた従動システム１２は、ハンドレール２１のサイドエッジに対向するように設置されており、且つ、エスカレーター２０が動作する際に、ハンドレール２１の摺動によって好適に駆動され回転して、従動システム１２に電気的に接続された発電ユニット１３に電力を発生させるように、ハンドレール２１のサイドエッジに接触している。また、光源１４は、ランプ管または発光ダイオードであるが、これに限定されなく、又、本実施例に示された単一の光源の以外に、適当且つ十分なエネルギーの光ビームを提供してハンドレール２１の消毒殺菌を行うように、複数の光源を直列または並列に設置してもよい。光ビームが外部へ漏れないようにするために、光源１４を筐体１１の内側に設けることが好ましい。
【００１７】
前記消毒殺菌に用いられる光ビームは、紫外線ビームであり、詳しく言えば、波長が１００〜２８０ｎｍにある短波長の紫外線Ｃ（Ｕｌｔｒａｖｉｏｌｅｔ Ｃ、ＵＶＣ）であり、これらの中でも、波長２５３．７ｎｍの紫外線ビームが、最もよい消毒殺菌の効果を有するが、これに限定されない。
【００１８】
前記の従動システム１２の回転により、電力を発生させる方式としては、ここでは制限されない。即ち、誘導起電力または電磁変換の応用によって、従動システム１２の回転運動エネルギーを電気エネルギーに変換することでも、あるいは圧電材質の使用によって、従動システム１２の回転運動エネルギーを電気エネルギーに変換することでも、いずれも本発明の光ビーム殺菌装置１０に適用できる。
【００１９】
また、光ビーム殺菌装置１０は、筐体１１の外側またはその他の箇所に設けらる蓄電ユニット１５をさらに含むこともできる。蓄電ユニット１５としては、電池であることが好ましく、発電ユニット１３により発生した電力を蓄えることに用いられ、実際な動作状況に応じて光源１４に電力を供給して、光ビーム殺菌装置１０による殺菌効率を向上させるようにする。
【００２０】
続いて図３を参照されたい。図３は、本発明に係る光ビーム殺菌装置１０の第２の実施例である。図３に示す光ビーム殺菌装置１０は、同様に従動システム１２の回転により、発電ユニット１３に電力を発生させて、光源１４に供給して発光させながら光ビームで消毒殺菌を行うことは、図２の第１の実施例に相似している。第２の実施例と第１の実施例の相違点は、第２の実施例においての従動システム１２は、ハンドレール２１の上面に対向するように設置されており、且つ、エスカレーター２０が動作する際に、ハンドレール２１の摺動によって好適に駆動され回転して、従動システム１２に電気的に接続された発電ユニット１３に電力を発生させるように、ハンドレール２１の上面に接触しているということにある。
【００２１】
このような従動システム１２をハンドレール２１の上面に対向するように設置することは、そのメリットが、必要に応じて従動システム１２の素子の数を増加して、エスカレーター２０が動作する際に、同じのハンドレール２１の摺動スピードで、第１の実施例と比較して、ハンドレール２１の有する摺動運動エネルギーをより多くの電気エネルギーに変換することができるようにすることにある。
【００２２】
仮にエスカレーター２０が設置された環境が汚すぎて、あるいは出入りする人員が複雑すぎたら、必要に応じて光源の放射パワーや光ビームの波長を調整することにより、エスカレーター２０のハンドレール２１の消毒殺菌の作業を効率的に完成することができる。一方、多数の光ビーム殺菌装置１０を直列に接続して、エスカレーター２０のハンドレール２１の照射される時間を長くすることにより、光ビーム殺菌装置１０の消毒殺菌の能力を強化することもできる。
【００２３】
図４に示すように、本発明に開示した光ビーム殺菌方法は、以下の工程を含む。まず、工程４０１に示すように、ハンドレール２１を覆うための筐体１１を提供する。次に、工程４０２に示すように、筐体１１内に、ハンドレール２１に接触する従動システム１２をに提供する。工程４０３に示すように、従動システム１２に接続され、従動システム１２の移動により電力を発生させる発電ユニット１３を提供する。最後に、工程４０４に示すように、筐体１１内に設けられ、発電ユニット１３からの電力を受けた後、ハンドレール２１に光ビームを提供して、本発明の消毒殺菌の作業を達成する光源１４を提供する。また、利用されなかった電力について、工程４０５に示すように、この電力を蓄えるために蓄電ユニット１５を提供する。
【００２４】
以上のことをまとめると、本発明の光ビーム殺菌装置及びその方法によれば、別に電源を追加することなく、光源１４によりエスカレーター２０のハンドレール２１に光ビームを提供して、ハンドレール２１の消毒殺菌の作業を行うことができる。このように、従来技術においてアルコールでの消毒による利用者の肌の乾燥やひび割れを改善しただけでなく、アルコールなどの消毒液の使用コストをも節約できた。また、本発明の光ビーム殺菌装置１０は、エスカレーター２０とは別の装置であるので、別に組み立てることによってエスカレーター２０上に掛けられるものであり、言い換えれば、本発明の光ビーム殺菌装置１０は、もともとのエスカレーター２０の構造を変えることなく、光ビーム殺菌装置１０を設けることができるため、エスカレーター２０のメンテナンス機関に対して、取付上の便利性を付与し、ハンドレール２１に対する消毒殺菌の作業をより効率的に行うようになる。
【００２５】
上述した実施例は、本発明の実施の態様を例示し、且つ本発明の技術的な特徴を説明するためのものにすぎず、本発明の保護範囲を制限するためのものではない。当業者であれば容易に完成できる変更や均等性の手配は、いずれも本発明が主張する範囲に属するものであり、本発明の権利保護範囲は、特許請求の範囲を基準にする。
【符号の説明】
【００２６】
１０   光ビーム殺菌装置              １１   筐体       １２   従動システム       １３   発電ユニット       １４   光源       １５   蓄電ユニット       ２０   エスカレーター   ２１   ハンドレール       ２２   ベース   
【図１】
2014193771.tif 000003
【図２】
2014193771.tif 000004
【図３】
2014193771.tif 000005
【図４】
2014193771.tif 000006